(57)【要約】【課題】刷版取付け溝に残留するインキがブランケット面に転移し、更に連続紙に転移し、印刷品質を著しく損なってしまう問題点があった。【解決手段】  一方のブランケット胴のブランケット取付け溝が連続紙を挟む位置にあるとき、他方のブランケット胴のブランケット取付け溝が１の刷版が印刷する印刷ピッチに相当する周面方向の長さだけ回転方向にずれた位置にある位相関係で２つのブランケット胴を互いに逆向きに回転させて印刷する新聞オフセット印刷方法、互いに隣接する２つのブランケット胴のブランケット取付け溝を、ブランケットの周面方向の長さが１の刷版が印刷する印刷ピッチの２倍となるように設け、２つのブランケット胴が連続紙を挟む位置に対して１の刷版が印刷する印刷ピッチに相当する周面方向の長さだけ回転方向にずれた位置に設けられる新聞用オフセット印刷機による。【選択図】  図１
2008110521.tif 000002
【特許請求の範囲】
【請求項１】
１の刷版が印刷する印刷ピッチの２倍の周面方向の長さを有するブランケットを取り付けた２つのブランケット胴間に連続紙を挟んで印刷する新聞のオフセット印刷方法において、
一方のブランケット胴のブランケット取付け溝が連続紙を挟む位置にあるとき、他方のブランケット胴のブランケット取付け溝が１の刷版が印刷する印刷ピッチに相当する周面方向の長さだけ回転方向にずれた位置にある位相関係で２つのブランケット胴を互いに逆向きに回転させて印刷することを特徴とする新聞のオフセット印刷方法。
【請求項２】
ブランケットの両端部をブランケット取付け溝で固定可能に周面に巻き付けた２つのブランケット胴を隣接するとともに、刷版の両端部を刷版取付け溝で固定可能に周面に巻き付けた版胴を２つのブランケット胴にそれぞれ隣接して配設し、互いに隣接するブランケット胴間に連続紙を挟んで印刷する新聞用オフセット印刷機において、
互いに隣接する２つのブランケット胴のブランケット取付け溝を、いずれも取り付けたブランケットの周面方向の長さが１の刷版が印刷する印刷ピッチの２倍となるように設けるとともに、
２つのブランケット胴が連続紙を挟む位置に対して１の刷版が印刷する印刷ピッチに相当する周面方向の長さだけ回転方向にずれた位置に設けることを特徴とする新聞用オフセット印刷機。
【発明の詳細な説明】
【技術分野】
【０００１】
この発明は、１の刷版が印刷する印刷ピッチの２倍の周面方向の長さを有するブランケットを取り付けた２つのブランケット胴間に連続紙を挟んで印刷する新聞のオフセット印刷方法及び新聞用オフセット印刷機に関する。
【背景技術】
【０００２】
ブランケットを取り付けた２つのブランケット胴間に連続紙を挟んでブランケット面を介して印刷する技術は、例えば「オフ輪印刷技術（ＧＡＴＦ極東事務所、福原巌、昭和５６年９月１５日初版発行）」の第１１〜２０ページに「Ｂ−Ｂタイプオフ輪の印刷ユニット」（非特許文献１：従来技術１）として記載されている。
【０００３】
非特許文献１には、版胴の刷版取付け溝及びブランケット胴のブランケット取付け溝が、両者とも「ギャップ」という単語で記載されており、その「ギャップ」の幅は、非特許文献１の第１２ページ右欄下から１５行目乃至下から９行目及び図１２に記載されているようにブランケット取付け溝の方が、版胴の刷版取付け溝より若干幅が広く形成されている。
【０００４】
また、新聞用オフセット印刷機では、アメリカ特許第６４０８７４７号公報（特許文献１：従来技術２）の第１欄１２行目乃至２６行目に版胴についての記載がある。一般的に版胴（forｍ cylinder）が、ブロードシートサイズの１ページ周長×２ページ幅、２ページ周長×２ページ幅、２ページ周長×４ページ幅で、同様にブランケット胴も１ページ周長×２ページ幅、２ページ周長×２ページ幅、２ページ周長×４ページ幅で組み合わせて構成されている。更に特許文献１には、１ページ周長×４ページ幅の版胴と、２ページ周長×４ページ幅のブランケット胴が組み合わせられた構成も知られている。
【０００５】
版胴の刷版取付け溝とブランケット胴のブランケット取付け溝は、いずれも各胴の中心軸線に直角な断面において周面の一箇所に中心軸線方向に設けられている。そして中心軸線が長い胴、例えば新聞用オフセット印刷機の４ページ幅の版胴やブランケット胴では、２ページ幅に相当する刷版取付け溝及びブランケット取付け溝を設ける位置を、それぞれ中心軸線方向の中央の左右において周面方向に位相をずらして設けられており、それぞれの胴周面を略１周する刷版又はブランケットの両端部を、それぞれ刷版取付け溝及びブランケット取付け溝に固定する構成である。
【０００６】
そして隣接する２つのブランケット胴間に連続紙を挟んでブランケット面を介して印刷する技術が特許公報第２５４１５４９号（特許文献２：従来技術３）に記載されている。特許文献２には、隣接する２つのブランケット胴（特許文献２ではゴム胴）に設けられたそれぞれのブランケット取付け溝（特許文献２では胴溝）同士が、ブランケット胴の紙を挟む位置で互いに対向するように回転位相が決められている。
【特許文献１】アメリカ特許第６４０８７４７号公報（従来技術２）
【特許文献２】特許公報第２５４１５４９号（従来技術３）
【非特許文献１】「オフ輪印刷技術」ＧＡＴＦ極東事務所、福原巌著、昭和５６年９月１５日初版発行（従来技術１）
【発明の開示】
【発明が解決しようとする課題】
【０００７】
最近のオフセット印刷、特に新聞印刷では、配付地域別に記事内容を代えたり、時間の経過とともにニュースの内容が変わったりすることにより、頻繁に刷版を取り替える多種小ロット印刷が増加したことにより、従来技術２に記載されているように１ページ長の刷版を使用する方がランニングコストを抑え得るという考え方がでてきた。例えば２ページ周長の版胴にも軸線に直角な断面において周面の２等分位置２か所に刷版取付け溝を設けて周面方向に１ページ長の刷版を２枚取り付けて印刷可能とし、コレクト稼働の際や刷版が何らかの理由で損傷した場合等に１ページ長毎に刷版を交換できる印刷機が求められるようになった。
【０００８】
ところで、オフセット印刷において、インキ供給装置の印刷稼働中、版胴に取り付けられた刷版に対しニップ圧を有しているため、図３に示すようにインキ着けローラー５は、刷版取付け溝部１０の版胴の回転方向における刷版の後行取付け端１０２に沿って落ち込み、次いで版胴の回転方向における刷版の先行取付け端１０１に急激に乗り上げる。その際先行取付け端１０１及び後行取付け端１０２に無用のインキを残留させる場合がある。
【０００９】
そのため、２ページ周長の版胴周面の２等分位置２か所に刷版取付け溝を設けて周面方向に１ページ長の刷版を２枚取り付けて印刷可能としたオフセット印刷機では、一方の刷版取付け溝が２ページ長のブランケット面の周長方向中央と対向して回転する場合、無用の残留インキがブランケット面に転移し、この無用の残留インキが転移したブランケット面が隣接するブランケット胴とともに連続紙を挟む位置に至ると、隣接するブランケット胴のブランケット面との間に作用する印圧によって無用のインキが連続紙に転移し、印刷品質を著しく損なってしまう問題点があった。
【課題を解決するための手段】
【００１０】
上記課題を解決するため、１の刷版が印刷する印刷ピッチの２倍の周面方向の長さを有するブランケットを取り付けた２つのブランケット胴間に連続紙を挟んで印刷する新聞のオフセット印刷方法において、
一方のブランケット胴のブランケット取付け溝が連続紙を挟む位置にあるとき、他方のブランケット胴のブランケット取付け溝が１の刷版が印刷する印刷ピッチに相当する周面方向の長さだけ回転方向にずれた位置にある位相関係で２つのブランケット胴を互いに逆向きに回転させて印刷することを特徴とする新聞のオフセット印刷方法を提案する。
【００１１】
また、ブランケットの両端部をブランケット取付け溝で固定可能に周面に巻き付けた２つのブランケット胴を隣接するとともに、刷版の両端部を刷版取付け溝で固定可能に周面に巻き付けた版胴を２つのブランケット胴にそれぞれ隣接して配設し、互いに隣接するブランケット胴間に連続紙を挟んで印刷する新聞用オフセット印刷機において、
互いに隣接する２つのブランケット胴のブランケット取付け溝を、いずれも取り付けたブランケットの周面方向の長さが１の刷版が印刷する印刷ピッチの２倍となるように設けるとともに、
２つのブランケット胴が連続紙を挟む位置に対して１の刷版が印刷する印刷ピッチに相当する周面方向の長さだけ回転方向にずれた位置に設けることを特徴とする新聞用オフセット印刷機を提案する。
【発明の効果】
【００１２】
この発明によれば、２ページ周長の版胴周面の２等分位置２か所に刷版取付け溝を設けて周面方向に１ページ長の刷版を２枚取り付けて印刷可能としたオフセット印刷機では、一方の刷版取付け溝が２ページ長のブランケット面の周長方向中央と対向して回転する場合、無用の残留インキがブランケット面に転移する点は、前記背景技術と同じである。しかし、この無用の残留インキが転移したブランケット面が隣接するブランケット胴とともに連続紙を挟む位置に至ると、連続紙を挟んで隣接するブランケット胴のブランケット取付け溝と対向する位置となるため、この間の連続紙に作用する印圧がブランケット取付け溝の逃げによって無くなるか、或いは著しく低くなる。そのため、無用のインキが連続紙に転移することが無くなるか、目視できない程度まで極めて僅かになり、印刷品質を損うことを防止することができる効果がある。
【発明を実施するための最良の形態】
【００１３】
次にこの発明の実施の形態について、図面を参照して説明する。図１はこの発明の一つの実施形態である新聞用オフセット印刷機であり、新聞２ページ長×２ページ幅の版胴１及び１’と、同じ周長と幅を有するブランケット胴２及び２’の正面説明図である。
【００１４】
版胴１及び１’には、それぞれ周面の周面方向２等分位置２カ所に刷版取付け溝１０ａ、１０ｂ及び１０ａ’、１０ｂ’が軸線と平行に設けられている。そして刷版取付け溝１０ａ、１０ｂ及び１０ａ’、１０ｂ’に設けられる図示しない刷版装着装置によって刷版１１ａ、１１ｂ及び１１ａ’、１１ｂ’が取り付けられている。版胴１及び１’に取り付けられる刷版１１ａ、１１ｂ及び１１ａ’、１１ｂ’には、図示されていない複数のインキ着けローラーによってインキが供給される。
【００１５】
ブランケット胴２及び２’には、それぞれ周面の１か所にブランケット取付け溝２０及び２０'が軸線と平行に設けられている。そしてブランケット取付け溝２０及び２０'に設けられる図示しないブランケット装着装置によってブランケット２１及び２１'が取り付けられている。ブランケット胴２及び２’間には、印刷を施される連続紙Ｗ１が矢印方向に走行するようにして挟まれている。
【００１６】
次に版胴１及び１’とブランケット胴２及び２’の周長は等しく構成されて回転速度も同調している。各胴の部位の位相関係について説明する。刷版取付け溝１０ａ、１０ｂ及び１０ａ’、１０ｂ’のうち刷版取付け溝１０ａは、ブランケット取付け溝２０と、版胴１とブランケット胴２の近接位置で互いに対向する回転位相関係にあり、刷版取付け溝１０ａ’は、ブランケット取付け溝２０’と、版胴１’とブランケット胴２’の近接位置で互いに対向する回転位相関係にある。
【００１７】
そしてブランケット取付け溝２０は、ブランケット取付け溝２０’と１８０度位相のずれたブランケット２１’面上の部位と連続紙Ｗ１を挟む位置で対向し、ブランケット取付け溝２０’は、ブランケット取付け溝２０と１８０度位相のずれたブランケット２１面上の部位と連続紙Ｗ１を挟む位置で対向する関係にある。
【００１８】
インキ着けローラー５は、印刷稼働中、版胴１に取り付けられた刷版１１ａ、１１ｂ及び版胴１’に取り付けられた刷版及び１１ａ’、１１ｂ’に対しニップ圧を有している。そのため図３を参照して説明した従来のものと同様にインキ着けローラー５は、刷版取付け溝部１０の版胴１の回転方向における刷版１１ａ、１１ｂ及び版胴１’の回転方向における１１ａ’、１１ｂ’の後行取付け端１０２に沿って落ち込み、次いで版胴１の回転方向における刷版１１ａ、１１ｂ及び版胴１’の回転方向における１１ａ’、１１ｂ’の先行取付け端１０１に急激に乗り上げる。その際先行取付け端１０１及び後行取付け端１０２に無用のインキが残留する。
【００１９】
しかしながら、刷版取付け溝１０ａ及び１０ａ’はブランケット取付け溝２０及び２０’に対向するので、残留したインキはブランケット２１、２１’に転移することなく、したがって連続紙Ｗ１に転移することもない。
【００２０】
一方、刷版取付け溝１０ｂ及び１０ｂ’は、ブランケット取付け溝２０及び２０’と１８０度位相の異なるブランケット２１、２１’の部位に対向するため、先行取付け端１０１及び後行取付け端１０２に残留したインキは、ブランケット２１、２１’のその対向部位に転移する。
【００２１】
しかし、ブランケット２１のインキの残留した部位は、ブランケット胴２の回転により連続紙Ｗ１に対向するが、このとき隣接するブランケット胴２’のブランケット取付け溝２０’が連続紙Ｗ１を挟んでブランケット２１のインキの残留した部位と対向する位相関係にあるため対向する。そのため、ブランケット２１のインキの残留した部位の印圧が無くなるか著しく低くなり、ブランケット２１の残留インキが、連続紙Ｗ１に転移することが無くなるか、目視できない程度まで極めて僅かになる。
【００２２】
同様にブランケット２１’のインキの残留した部位は、ブランケット胴２’の回転により連続紙Ｗ１に対向するが、このとき隣接するブランケット胴２のブランケット取付け溝２０が連続紙Ｗ１を挟んでブランケット２１’のインキの残留した部位と対向する位相関係にあるため対向する。そのため、ブランケット２１’のインキの残留した部位の印圧が無くなるか著しく低くなり、ブランケット２１’の残留インキが、連続紙Ｗ１に転移することが無くなるか、目視できない程度まで極めて僅かになる。
【００２３】
上述したこの発明の各実施形態の新聞のオフセット印刷方法は、１の刷版１１ａ、１１ｂ、１１ａ’、１１ｂ’が印刷する印刷ピッチの２倍の周面方向の長さを有するブランケット２１，２１’を取り付けた２つのブランケット胴２及び２’間に連続紙Ｗ１を挟んで印刷する新聞のオフセット印刷方法であり、一方のブランケット胴２（２’）のブランケット取付け溝２０（２０’）が連続紙Ｗ１を挟む位置にあるとき、他方のブランケット胴２’（２）のブランケット取付け溝２０’（２０）が１の刷版１１ａ、１１ｂ、１１ａ’、１１ｂ’が印刷する印刷ピッチに相当する周面方向の長さだけ回転方向にずれた位置にある位相関係で２つのブランケット胴２及び２’を互いに逆向きに回転させて印刷する新聞のオフセット印刷方法である。
【００２４】
また、上述したこの発明の各実施形態の新聞用オフセット印刷機は、ブランケット２１及び２１’の両端部をブランケット取付け溝２０、２０’で固定可能に周面に巻き付けた２つのブランケット胴２及び２’を隣接するとともに、刷版１１ａ、１１ｂ及び１１ａ’、１１ｂ’の両端部を刷版取付け溝１０ａ、１０ｂ及び１０ａ’、１０ｂ’で固定可能に周面に巻き付けた版胴１及び１’を２つのブランケット胴２及び２’にそれぞれ隣接して配設し、互いに隣接するブランケット胴２及び２’間に連続紙Ｗ１を挟んで印刷する新聞用オフセット印刷機であり、互いに隣接する２つのブランケット胴２及び２’のブランケット取付け溝２０、２０’を、いずれも取り付けたブランケット２１，２１’の周面方向の長さが１の刷版１１ａ又は１１ｂ、１１ａ’又は１１ｂ’が印刷する印刷ピッチの２倍となるように設けるとともに、２つのブランケット胴２及び２’が連続紙Ｗ１を挟む位置に対して１の刷版１１ａ又は１１ｂ、１１ａ’又は１１ｂ’が印刷する印刷ピッチに相当する周面方向の長さだけ回転方向にずれた位置に設ける新聞用オフセット印刷機である。
【００２５】
次にこの発明の他の実施形態である図２に基づいて説明する。図２は新聞用オフセット印刷機であり、新聞２ページ長×４ページ幅の主要胴配置と溝の位相関係を斜め上から見た斜視説明図、図３は版胴の刷版取付け溝にインキ着けローラーが対向した状態を示す部分断面拡大図である。
【００２６】
版胴３及び３’には、それぞれ周面の周面方向２等分位置２か所に版胴３及び３’の一方の端面Ｎから軸方向中央Ｍまでの長さを成す刷版取付け溝３０ａ、３０ｂ及び３０ａ’、３０ｂ’と、これら刷版取付け溝３０ａ、３０ｂ及び３０ａ’、３０ｂ’と周面方向に９０度位相がずれた位置に他方の端面Ｐから軸方向中央Ｍまでの長さを成す刷版取付け溝３０ｃ、３０ｄ及び３０ｃ’、３０ｄ’が軸線と平行に設けられている。
【００２７】
そして前記の各刷版取付け溝３０ａ、３０ｂ及び３０ａ’、３０ｂ’、３０ｃ、３０ｄ及び３０ｃ’、３０ｄ’に設けられる図示しない刷版装着装置によって刷版３１ａ、３１ｂ、３１ｃ、３１ｄ及び３１ａ’、３１ｂ’、３１ｃ’３１ｄ’が取り付けられている。版胴３及び３’に取り付けられる刷版３１ａ、３１ｂ、３１ｃ、３１ｄ及び３１ａ’、３１ｂ’、３１ｃ’３１ｄ’には、図示されていない複数のインキ着けローラーによってインキが供給される。
【００２８】
ブランケット胴４及び４’には、ブランケット胴４及び４’の一方の端面Ｎから軸方向中央Ｍまでの長さを成すブランケット取付け溝４０ａ及び４０ａ'と、これらブランケット取付け溝４０ａ及び４０ａ'と周面方向に９０度位相がずれた位置に他方の端面Ｐから軸方向中央Ｍまでの長さを成すブランケット取付け溝４０ｂ及び４０ｂ’が軸線と平行に設けられている。そしてブランケット取付け溝４０及び４０'に設けられる図示しないブランケット装着装置によってブランケット４１ａ、４１ｂ及び４１ａ'、４１ｂ’が取り付けられている。ブランケット胴４及び４’間には、印刷を施される連続紙Ｗ２が矢印方向に走行するようにして挟まれている。
【００２９】
次に各胴の位相関係について説明する。刷版取付け溝３０ａ、３０ｂ及び３０ｃ、３０ｄのうち刷版取付け溝３０ａは、ブランケット取付け溝４０ａと、版胴３とブランケット胴４の近接位置で互いに対向する回転位相関係にあり、刷版取付け溝３０ｃは、ブランケット取付け溝４０ｂと、版胴３とブランケット胴４の近接位置で互いに対向する回転位相関係にある。
【００３０】
同様に刷版取付け溝３０ａ’、３０ｂ’及び３０ｃ’、３０ｄ’のうち刷版取付け溝３０ａ’は、ブランケット取付け溝４０ａ’と、版胴３’とブランケット胴４’の近接位置で互いに対向する回転位相関係にあり、刷版取付け溝３０ｃ’は、ブランケット取付け溝４０ｂ’と、版胴３’とブランケット胴４’の近接位置で互いに対向する回転位相関係にある。
【００３１】
そしてブランケット取付け溝４０ａは、ブランケット取付け溝４０ａ’と１８０度位相のずれたブランケット４１ａ’面上の部位と連続紙Ｗ２を挟む位置で対向し、ブランケット取付け溝４０ａ’は、ブランケット取付け溝４０ａと１８０度位相のずれたブランケット４１ａ面上の部位と連続紙Ｗ２を挟む位置で対向する関係にある。
【００３２】
更にブランケット取付け溝４０ｂは、ブランケット取付け溝４０ｂ’と１８０度位相のずれたブランケット４１ｂ’面上の部位と連続紙Ｗ２を挟む位置で対向し、ブランケット取付け溝４０ｂ’は、ブランケット取付け溝４０ｂと１８０度位相のずれたブランケット４１ｂ面上の部位と連続紙Ｗ２を挟む位置で対向する関係にある。
【００３３】
インキ着けローラー５は、印刷稼働中、版胴３に取り付けられた刷版３１ａ、３１ｂ及び３１ｃ、３１ｄ並びに版胴３’に取り付けられた刷版３１ａ’、３１ｂ’及び３１ｃ’、３１ｄ’に対しニップ圧を有している。そのため図３を参照して説明した従来のものと同様にインキ着けローラー５は、刷版取付け溝部１０の版胴３の回転方向における刷版３１ａ、３１ｂ及び３１ｃ、３１ｄ並びに版胴３’に取り付けられた刷版３１ａ’、３１ｂ’及び３１ｃ’、３１ｄ’の後行取付け端１０２に沿って落ち込み、次いで版胴３の回転方向における刷版３１ａ、３１ｂ及び３１ｃ、３１ｄ並びに版胴３’の回転方向における刷版３１ａ’、３１ｂ’及び３１ｃ’、３１ｄ’の先行取付け端１０１に急激に乗り上げる。その際先行取付け端１０１及び後行取付け端１０２に無用のインキが残留する。
【００３４】
しかしながら、刷版取付け溝３０ａ及び３０ａ’はブランケット取付け溝４０ａ及び４０ａ’に対向し、刷版取付け溝３０ｃ及び３０ｃ’はブランケット取付け溝４０ｂ及び４０ｂ’に対向するため、残留したインキはブランケット４１ａ及び４１ａ’に転移することなく、したがって連続紙Ｗ２に転移することもない。
【００３５】
一方、刷版取付け溝３０ｂ及び３０ｂ’は、ブランケット取付け溝４０ａ及び４０ａ’と１８０度位相の異なるブランケット４１ａ及び４１ａ’の部位に対向するため、先行取付け端１０１及び後行取付け端１０２に残留したインキは、ブランケット４１ａ及び４１ａ’のその対向部位に転移する。
【００３６】
しかし、ブランケット４１ａのインキの残留した部位は、ブランケット胴４の回転により連続紙Ｗ２に対向するが、このとき隣接するブランケット胴４’のブランケット取付け溝４０ａ’が連続紙Ｗ２を挟んでブランケット４１ａのインキの残留した部位と対向する位相関係にあるため対向する。そのため、ブランケット４１ａのインキの残留した部位の印圧が無くなるか著しく低くなり、ブランケット４１ａの残留インキが、連続紙Ｗ２に転移することが無くなるか、目視できない程度まで極めて僅かになる。
【００３７】
同様にブランケット４１ａ’のインキの残留した部位は、ブランケット胴４’の回転により連続紙Ｗ２に対向するが、このとき隣接するブランケット胴４のブランケット取付け溝４０ａが連続紙Ｗ２を挟んでブランケット４１ａ’のインキの残留した部位と対向する位相関係にあるため対向する。そのため、ブランケット４１ａ’のインキの残留した部位の印圧が無くなるか著しく低くなり、ブランケット４１ａ’の残留インキが、連続紙Ｗ２に転移することが無くなるか、目視できない程度まで極めて僅かになる。
【００３８】
そして、刷版取付け溝３０ｄ及び３０ｄ’が、ブランケット４１ｂ及び４１ｂ’に対向したときは、先行取付け端１０１及び後行取付け端１０２に残留したインキは、ブランケット取付け溝４０ｂ及び４０ｂ’と１８０度位相の異なるブランケット４１ｂ及び４１ｂ’の部位に転移する。
【００３９】
しかし、ブランケット４１ｂのインキの残留した部位は、ブランケット胴４の回転により連続紙Ｗ２に対向するが、このとき隣接するブランケット胴４’のブランケット取付け溝４０ｂ’が連続紙Ｗ２を挟んでブランケット４１ｂのインキの残留した部位と対向する位相関係にあるため対向する。そのため、ブランケット４１ｂのインキの残留した部位の印圧が無くなるか著しく低くなり、ブランケット４１ｂの残留インキが、連続紙Ｗ２に転移することが無くなるか、目視できない程度まで極めて僅かになる。
【００４０】
同様にブランケット４１ｂ’のインキの残留した部位は、ブランケット胴４’の回転により連続紙Ｗ２に対向するが、このとき隣接するブランケット胴４のブランケット取付け溝４０ｂが連続紙Ｗ２を挟んでブランケット４１ｂ’のインキの残留した部位と対向する位相関係にあるため対向する。そのため、ブランケット４１ｂ’のインキの残留した部位の印圧が無くなるか著しく低くなり、ブランケット４１ｂ’の残留インキが、連続紙Ｗ２に転移することが無くなるか、目視できない程度まで極めて僅かになる。
【００４１】
図２に示す実施形態では、刷版取付け溝３０ａ、３０ｂ及び３０ａ’、３０ｂ’と刷版取付け溝３０ｃ、３０ｄ及び３０ｃ’、３０ｄ’は、周面方向に９０度位相がずれた位置関係にあり、ブランケット取付け溝４０ａ及び４０ａ'とブランケット取付け溝４０ｂ及び４０ｂ'も周面方向に９０度位相がずれた位置関係にあるが、周面方向の位相のずれ角度は９０度に限られたものではない。
【００４２】
上述した内容は、版胴１、１’及び３，３’並びにブランケット胴２、２’及び４、４’が共に新聞２ページ周長を有する新聞用オフセット印刷機についての説明であるが、ブランケット胴２、２’及び４、４’に装着されるブランケット２１、２１’及び４１ａ、４１ｂ、４１ａ'、４１ｂ'  の有効面が、版胴１、１’及び３、３’に装着された１の刷版１１ａ、１１ｂ、１１ａ’、１１ｂ’及び３１ａ、３１ｂ、３１ｃ、３１ｄ、３１ａ’、３１ｂ’、３１ｃ’、３１ｄ’  が印刷するピッチの有効面の２倍である新聞用オフセット印刷機に適用できる。
【産業上の利用可能性】
【００４３】
この発明は、１の刷版が印刷する印刷ピッチの２倍の周面方向の長さを有するブランケットを取り付けた２つのブランケット胴間に連続紙を挟んで印刷する新聞のオフセット印刷に利用可能である。
【図面の簡単な説明】
【００４４】
【図１】この発明の一つの実施形態を示す図であり、新聞２ページ長×２ページ幅の主要胴配置と溝の位相関係を示した正面説明図
【図２】この発明の他の実施形態を示す図であり、新聞２ページ長×４ページ幅の主要胴配置と溝の位相関係を斜め上から見た斜視説明図
【図３】通常の版胴の刷版取付け溝にインキ着けローラーが対向した状態を示す部分断面拡大図
【符号の説明】
【００４５】
１、１’  版胴
１０ａ、１０ｂ、１０ａ’、１０ｂ’刷版取付け溝
１１ａ、１１ｂ、１１ａ’、１１ｂ’刷版
２、２’ブランケット胴
２０、２０'  ブランケット取付け溝
２１、２１'      ブランケット
３、３’  版胴
３０ａ、３０ｂ、３０ｃ、３０ｄ          刷版取付け溝
３０ａ’、３０ｂ’、３０ｃ’、３０ｄ’  刷版取付け溝
３１ａ、３１ｂ、３１ｃ、３１ｄ          刷版
３１ａ’、３１ｂ’、３１ｃ’、３１ｄ’  刷版
４、４’ブランケット胴
４０ａ、４０ｂ、４０ａ'、４０ｂ'  ブランケット取付け溝
４１ａ、４１ｂ、４１ａ'、４１ｂ'  ブランケット
５  インキ着けローラー
１０１  刷版先行取付け端部
１０２  刷版後行取付け端部
Ｗ１、Ｗ２  連続紙
Ｎ  各胴の一方の端面
Ｍ  各胴の軸方向中央
Ｐ  各胴の他方の端面
【図１】
2008110521.tif 000003
【図２】
2008110521.tif 000004
【図３】
2008110521.tif 000005